(57)【特許請求の範囲】
【請求項１】
管理端末モニタと管理端末入力手段と管理端末カメラ装置と管理端末マイク装置とを備えた管理端末と、
点呼端末モニタと画面接触式の点呼端末入力手段と点呼端末カメラ装置と点呼端末マイク装置とを備えた点呼端末と、
前記管理端末と点呼端末とに接続し各処理を行う中央処理部と、
前記中央処理部に接続したデータサーバと、
前記点呼端末に接続し運転者の血圧を測定する血圧測定装置と、
前記点呼端末に接続し運転者の呼気中のアルコール濃度を測定するアルコール測定装置と、を有し、
前記管理端末カメラ装置と点呼端末カメラ装置とによる双方向画像通信と、前記管理端末マイク装置と点呼端末マイク装置とによる双方向音声通信と、前記管理端末と点呼端末とによる双方向データ通信と、によって輸送車両を運転する運転者の点呼を行う運転者点呼システムであって、
前記中央処理部が、
前記管理端末と点呼端末とを接続するステップと、
前記点呼端末モニタに運転者特定情報の入力要求画面を表示して、運転者に運転者特定情報の入力要求を行うステップと、
前記点呼端末入力手段を介して入力された運転者特定情報に基づいて運転者を特定するステップと、
前記点呼端末モニタに輸送業務情報の入力要求画面を表示して、運転者に輸送業務情報の入力要求を行うステップと、
前記点呼端末入力手段を介して入力された輸送業務情報を前記データサーバに照会し、前記輸送業務情報と対応する納品情報と必要書類の情報とを含む業務伝達事項を取得するステップと、
運転者に対し前記業務伝達事項の内容を問う確認要求画面を点呼端末モニタに表示するとともに、前記管理端末モニタには前記業務伝達事項の正解を表示し、前記運転者が正しい業務伝達事項を選択もしくは入力することで前記業務伝達事項の確認操作を行い、この確認操作を管理端末モニタに表示するステップと、
前記血圧測定装置から運転者の血圧データを取得して管理端末モニタに表示するステップと、
前記アルコール測定装置から運転者の呼気中のアルコール濃度のデータを取得して管理端末モニタに表示するステップと、
前記業務伝達事項の確認記録と前記血圧データと前記アルコール濃度のデータとを前記データサーバに記録するステップと、
を行うことを特徴とする運転者点呼システム。
【請求項２】
データサーバが運転者の顔写真の画像データを有しており、
前記中央処理部が運転者特定情報に基づいて運転者を特定した後、特定した運転者の顔写真の画像データを管理端末モニタに表示することを特徴とする請求項１記載の運転者点呼システム。
【請求項３】
必要書類が識別情報を有するとともに、前記識別情報を読み取る読取装置を更に備え、
前記前記中央処理部が、
業務伝達事項の確認要求を行う際に、前記識別情報の読み取り要求を行うとともに、前記読取装置が読み取った識別情報をデータサーバに照会して、前記業務伝達事項に含まれる必要書類の情報と一致した場合に、必要書類の確認処理を行うことを特徴とする請求項１または請求項２に記載の運転者点呼システム。
【請求項４】
運転免許証を読み取る免許情報読取装置を更に備え、
前記中央処理部が、
運転免許証の読み取り要求を行うとともに、前記免許情報読取装置が読み取った運転免許証のデータに基づいて、運転者の運転免許証の確認を行うことを特徴とする請求項１乃至請求項３のいずれかに記載の運転者点呼システム。
【請求項５】
血圧データを取得した後に、管理端末モニタと点呼端末モニタとに今回の血圧データと運転者の過去の血圧データとをグラフ化して表示することを特徴とする請求項１乃至請求項４のいずれかに記載の運転者点呼システム。
【発明の詳細な説明】
【技術分野】
【０００１】
本発明は、輸送業務に従事する運転者の点呼を電気通信回線を用いた双方向通信で行う運転者点呼システムに関するものである。
【背景技術】
【０００２】
輸送物品をトラックやタンクローリ等の輸送車両で輸送する自動車運送事業者においては、輸送業務を行う運転者に対して法律で義務付けられた運転者点呼を行う必要がある。この運転者点呼に関し、下記［特許文献１］には、各運転者が運転者点呼のためのドライバー端末を所持し、このドライバー端末と管理端末とを無線通信で繋ぐことで運転者点呼を行う発明が開示されている。
【先行技術文献】
【特許文献】
【０００３】
【特許文献１】特開２０１２−１５９９５９号公報
【発明の概要】
【発明が解決しようとする課題】
【０００４】
しかしながら、この運転者点呼では法律で定められた点呼内容の他に、輸送業務を行う上での注意事項の伝達及び携行品の確認を行うことが望ましい。特に化学薬品等の輸送業務では、必要書類や注意事項が多岐に亘り、また納品時の必要部材が納品先で異なる場合がある。このような多くの業務伝達事項が存在する輸送業務では、これらの知識を十分に有する運行管理者が運転者点呼時に業務伝達事項の確認を行う必要がある。しかしながら、輸送業務の開始時刻（出発時刻）は深夜や早朝となる場合もある反面、運転者点呼のために運行管理者を２４時間常駐させておくことは困難であるという問題点がある。
【０００５】
本発明は上記事情に鑑みてなされたものであり、専門的な知識を有さない運行管理補助者でも運転者点呼時における業務伝達事項の伝達と確認を十分に行うことが可能な運転者点呼システムを提供することを目的とする。
【課題を解決するための手段】
【０００６】
本発明は、
（１）管理端末モニタ３２と管理端末入力手段３４と管理端末カメラ装置３６と管理端末マイク装置３８とを備えた管理端末３０と、
点呼端末モニタ４２と画面接触式の点呼端末入力手段４４と点呼端末カメラ装置４６と点呼端末マイク装置４８とを備えた点呼端末４０と、
前記管理端末３０と点呼端末４０とに接続し各処理を行う中央処理部３９と、
前記中央処理部３９に接続したデータサーバ５０と、
前記点呼端末４０に接続し運転者の血圧を測定する血圧測定装置５２と、
前記点呼端末４０に接続し運転者の呼気中のアルコール濃度を測定するアルコール測定装置５４と、を有し、
前記管理端末カメラ装置３６と点呼端末カメラ装置４６とによる双方向画像通信と、前記管理端末マイク装置３８と点呼端末マイク装置４８とによる双方向音声通信と、前記管理端末３０と点呼端末４０とによる双方向データ通信と、によって輸送車両を運転する運転者の点呼を行う運転者点呼システムであって、
前記中央処理部３９が、
前記管理端末３０と点呼端末４０とを接続するステップと、
前記点呼端末モニタ４２に運転者特定情報の入力要求画面を表示して、運転者に運転者特定情報の入力要求を行うステップと、
前記点呼端末入力手段４４を介して入力された運転者特定情報に基づいて運転者を特定するステップと、
前記点呼端末モニタ４２に輸送業務情報の入力要求画面を表示して、運転者に輸送業務情報の入力要求を行うステップと、
前記点呼端末入力手段４４を介して入力された輸送業務情報を前記データサーバ５０に照会し、前記輸送業務情報と対応する納品情報と必要書類の情報とを含む業務伝達事項を取得するステップと、
運転者に対し前記業務伝達事項の内容を問う確認要求画面を点呼端末モニタ４２に表示するとともに、前記管理端末モニタ３２には前記業務伝達事項の正解を表示し、前記運転者が正しい業務伝達事項を選択もしくは入力することで前記業務伝達事項の確認操作を行い、この確認操作を管理端末モニタ３２に表示するステップと、
前記血圧測定装置５２から運転者の血圧データを取得して管理端末モニタ３２に表示するステップと、
前記アルコール測定装置５４から運転者の呼気中のアルコール濃度のデータを取得して管理端末モニタ３２に表示するステップと、
前記業務伝達事項の確認記録と前記血圧データと前記アルコール濃度のデータとを前記データサーバ５０に記録するステップと、
を行うことを特徴とする運転者点呼システム１００を提供することにより、上記課題を解決する。
（２）データサーバ５０が運転者の顔写真の画像データを有しており、
前記中央処理部３９が運転者特定情報に基づいて運転者を特定した後、特定した運転者の顔写真の画像データを管理端末モニタ３２に表示することを特徴とする上記（１）記載の運転者点呼システム１００を提供することにより、上記課題を解決する。
（３）必要書類が識別情報を有するとともに、前記識別情報を読み取る読取装置５６を更に備え、
前記前記中央処理部３９が、
業務伝達事項の確認要求を行う際に、前記識別情報の読み取り要求を行うとともに、前記読取装置５６が読み取った識別情報をデータサーバに照会して、前記業務伝達事項に含まれる必要書類の情報と一致した場合に、必要書類の確認処理を行うことを特徴とする上記（１）または（２）に記載の運転者点呼システム１００を提供することにより、上記課題を解決する。
（４）運転免許証を読み取る免許情報読取装置５８を更に備え、
前記中央処理部３９が、
運転免許証の読み取り要求を行うとともに、前記免許情報読取装置５８が読み取った運転免許証のデータに基づいて、運転者の運転免許証の確認を行うことを特徴とする上記（１）乃至（３）のいずれかに記載の運転者点呼システム１００を提供することにより、上記課題を解決する。
（５）血圧データを取得した後に、管理端末モニタ３２と点呼端末モニタ４２とに今回の血圧データと運転者の過去の血圧データとをグラフ化して表示することを特徴とする上記（１）乃至（４）のいずれかに記載の運転者点呼システム１００を提供することにより、上記課題を解決する。
【発明の効果】
【０００７】
本発明によれば、輸送業務と対応する業務伝達事項をデータサーバから取得して管理端末と点呼端末に表示する。これにより、専門知識の乏しい運行管理補助者でも運転者点呼時における業務伝達事項の伝達と確認を十分に行うことができる。
【図面の簡単な説明】
【０００８】
【図１】本発明に係る運転者点呼システムを示す図である。
【図２】本発明に係る運転者点呼システムの動作フローチャートである。
【図３】本発明に係る運転者点呼システムの表示画面を説明する図である。
【図４】本発明に係る運転者点呼システムの他の例を示す図である。
【図５】本発明に係る運転者点呼システムの表示画面を説明する図である。
【図６】本発明に係る運転者点呼システムの表示画面を説明する図である。
【図７】本発明に係る運転者点呼システムの表示画面を説明する図である。
【図８】本発明に係る運転者点呼システムの表示画面を説明する図である。
【発明を実施するための形態】
【０００９】
本発明に係る運転者点呼システムについて図面に基づいて説明する。図１に示す運転者点呼システム１００は、管理端末３０と、点呼端末４０と、これら管理端末３０、点呼端末４０を制御して運転者点呼システム１００の各ステップの処理を行う中央処理部３９と、この中央処理部３９に接続したデータサーバ５０と、を有している。尚、管理端末３０と、点呼端末４０、中央処理部３９、データサーバ５０は、インターネット、イントラネット等の電気通信回線１０を介してそれぞれ接続している。
【００１０】
管理端末３０は、運転者点呼を行う管理者側に設置され、管理端末モニタ３２と、管理端末入力手段３４と、管理端末カメラ装置３６と、管理端末マイク装置３８と、を有している。
【００１１】
また、点呼端末４０は、運転者点呼を受ける運転者側に設置され、点呼端末モニタ４２と、この点呼端末モニタ４２に設置された画面接触式の点呼端末入力手段４４と、点呼端末カメラ装置４６と、点呼端末マイク装置４８と、を有している。また、点呼端末４０には、運転者の血圧を測定する血圧測定装置５２と、運転者の呼気中のアルコール濃度を測定するアルコール測定装置５４が接続されている。
【００１２】
次に、本発明に係る運転者点呼システム１００の動作を説明する。尚、本例では液体の化学物質を積込み先で輸送車両に積込み、納品先に輸送して納品する例について説明を行うが、本願発明はこれに限定されるわけでは無く、固体や燃料、その他一般貨物の輸送業務にも適用が可能である。
【００１３】
図２は運転者点呼システム１００の動作フローチャートである。先ず、運転者点呼システム１００の待機状態において、点呼を受ける運転者が点呼端末４０を起動する。これにより、起動した点呼端末４０と管理端末３０とが中央処理部３９を介して接続する（ステップＳ１０２）。
【００１４】
管理端末３０と点呼端末４０とが接続すると、管理端末３０は点呼端末４０側から点呼要求があったことを報知音等で運行管理者に報知する。また、管理端末マイク装置３８と点呼端末４０のスピーカとを接続し、点呼端末マイク装置４８と管理端末３０のスピーカとを接続する。これにより、この管理端末３０と点呼端末４０とは双方向音声通信が可能となり、運転者と運行管理者とはこれらマイク装置を通じて音声会話を行うことができる。そして、運行管理者はこの点呼要求に応じて管理端末３０に着席し、例えば管理端末マイク装置３８等を介して点呼可能であることを運転者側に伝達する。尚、ここでは管理端末３０の操作者を運行管理者と記述するが、これは専門的な知識を有さない夜間警備員等の運行管理補助者でも構わない。
【００１５】
次に、中央処理部３９は点呼端末４０の点呼端末モニタ４２に、例えば図３（ａ）に示すような運転者特定情報の入力要求画面を表示して、運転者に対し運転者特定情報の入力要求を行う（ステップＳ１０４）。尚、図３（ａ）に示す運転者特定情報の入力要求画面は、例えば運転者特定情報を入力するためのテンキー画面６０と、運転者の特定後に運転者の氏名等の運転者情報を表示する運転者情報表示画面６１と、後述の輸送業務日を表示する輸送業務日表示６５と、現在時間を表示する時計表示６２と、入力操作を取り消す取消ボタン表示６３と、管理端末３０と点呼端末４０との接続を切断し運転者点呼システム１００を待機状態に戻す通信切断ボタン表示６４と、を有している。尚、現段階では運転者の特定及び輸送業務日の入力がされてないから運転者情報表示画面６１と輸送業務日表示６５は空白となる。
【００１６】
運転者はこの入力要求画面に対して、運転者特定情報の入力を行う。ここでの運転者特定情報とは運転者に個別に付与された社員ナンバーやＩＤナンバー等である。また、入力要求画面に例えばカタカナ入力キーを表示して、運転者の氏名を運転者特定情報として入力するようにしても良い。
【００１７】
上記の点呼端末４０への入力操作は基本的に点呼端末モニタ４２に設置されたタッチパネル等の点呼端末入力手段４４を介して行う。よって、運転者特定情報の入力要求画面においては、点呼端末モニタ４２に表示されたテンキー画面６０に触れる（押下する）ことで運転者特定情報の入力を行うことができる。尚、点呼端末モニタ４２に表示する点呼端末入力手段４４の入力ボタン表示は出来るだけ大きく表示することが好ましい。また、点呼端末入力手段４４への入力は選択肢を表示して、この選択肢を選択押下する入力方式を用いることが好ましい。これにより、運転者が比較的高齢な場合でも運転者点呼の各種入力操作を容易に行うことができる。
【００１８】
運転者特定情報の入力が行われると、中央処理部３９はこの運転者特定情報を取得して、データサーバ５０の運転者データと照会する。そして、該当する運転者データが存在する場合、その運転者を点呼を受ける者として特定する（ステップＳ１０６：Ｙｅｓ）。また、該当する運転者データが存在しない場合、入力した運転者特定情報に誤りがあるとして、再度運転者特定情報の入力要求を行う（ステップＳ１０６：Ｎｏ）。
【００１９】
尚、本発明に係る運転者点呼システム１００は、特定した運転者と実際に点呼端末４０を操作している人物とが一致しているか否かを確認する構成を備えていても良い。この構成としては、指紋認証、虹彩認証、声紋認証等の生体認証、暗証番号やパスワード入力等による本人確認などを利用しても良いが、以下に示す顔写真を用いた確認手法を用いることが特に好ましい。
【００２０】
顔写真を用いた本人確認手法では、データサーバ５０の運転者データに運転者の顔写真の画像データが蓄積されている。そして、中央処理部３９が運転者特定情報に基づいて運転者を特定すると、中央処理部３９は特定した運転者の顔写真の画像データをデータサーバ５０から取得する。そして、この運転者の顔写真の画像データを管理端末モニタ３２に表示する。また、中央処理部３９は点呼端末カメラ装置４６が撮影した点呼端末４０の操作者の画像を管理端末モニタ３２に表示する。運行管理者は管理端末モニタ３２に表示された運転者の顔写真と点呼端末４０の操作者の画像とを見比べて、点呼端末４０の操作を行っている者が特定された運転者本人であることを確認する。この運転者の確認ステップは中央処理部３９が運転者を特定した時に行っても良いし、後述の業務伝達事項の確認時に行っても良い。
【００２１】
また、本発明に係る運転者点呼システム１００は、運転者の運転免許証の携行と運転免許証が有効であるか否かを確認する構成を備えていても良い。この場合、運転者点呼システム１００の点呼端末４０には、図４に示す、免許情報読取装置５８が接続されている。そして、中央処理部３９は、例えば運転者の特定後に運転免許情報の読み取り要求画面を表示する。運転者はこの読み取り要求画面に対して、自身の運転免許証を免許情報読取装置５８で読み取らせる。尚、運転免許証がＩＣチップを内蔵したものの場合、免許情報読取装置５８はこのＩＣチップから運転免許情報を読み取り中央処理部３９に出力する。中央処理部３９はこの運転免許情報に基づいて、運転免許証の携行と運転者の運転免許証が有効であるか（有効期限内であるか、失効していないか）を確認する。
【００２２】
また、より簡易な運転免許証の確認手法としては、免許情報読取装置５８をスキャナとし、このスキャナにより運転免許証の画像を取り込む。そして、これを管理端末モニタ３２に表示して運行管理者が目視により運転免許証の携行と有効期限の確認とを行う。
【００２３】
上記のようにして、運転者の特定が行われると中央処理部３９は点呼端末モニタ４２に、例えば図３（ｂ）に示すような輸送業務日の入力要求画面を表示して、運転者に対し輸送業務日の入力要求を行う（ステップＳ１０８）。ここで、図３（ｂ）に示す輸送業務日の入力要求画面は、例えば輸送物品の納品日もしくは積込み日を選択する輸送業務日選択ボタン表示６６と、入力した業務日を確定送信する確認ボタン表示６８と、を有している。尚、図３（ｂ）の輸送業務日選択ボタン表示６６は、今日、明日、その他、及び帰社の選択ボタン表示を有しており、例えば輸送物品の納品日を今日、明日、その他から選択する構成となっている。尚、輸送業務日選択ボタン表示６６の「その他」には、運転者の押下により１ヶ月分のカレンダを拡大表示するカレンダ表示６６ａを設け、拡大表示されたカレンダの日付部分を押下することにより輸送業務日を入力可能とすることが好ましい。
【００２４】
運転者はこの輸送業務日の入力要求画面に応じて、自身が指示された輸送業務日（納品日が要求されていれば納品日、積込み日が要求されていれば積込み日）を輸送業務日選択ボタン表示６６を用いて入力する。尚、運転者が輸送業務を終えて帰社した時の帰社点呼を行う場合には輸送業務日選択ボタン表示６６の「帰社」表示を押下する。帰社表示が押下された場合（ステップＳ１１０：Ｙｅｓ）、後述のステップＳ１２２に移行して、血圧測定、アルコール濃度測定を行った後、運転者点呼（帰社点呼）を終了する。尚、帰社点呼の場合でも、点呼記録、血圧データ、アルコール濃度のデータは、データサーバ５０に記録される。
【００２５】
また、運転者が輸送業務日の入力を行った場合（ステップＳ１１０：Ｎｏ）、中央処理部３９は点呼端末モニタ４２に、輸送情報の入力要求画面を表示して、運転者に対し輸送情報の入力要求を行う（ステップＳ１１２）。輸送情報の入力要求画面は例えば、例えば図５（ａ）に示すような、カナ入力テンキー７０と、このカナ入力テンキー７０の入力文字を表示する入力文字表示７１ａ、７１ｂと、を有している。そして、中央処理部３９は運転者に対し、例えば積込先の名称の最初のカナ２文字と、積込先の名称の３文字目以降に含まれるカナ文字を入力するよう要求する。運転者はこの入力要求に対し、自身が指示された輸送業務の積込先の名称の最初のカナ２文字、及び積込先の名称の３文字目以降に含まれるカナ文字を、カナ入力テンキー７０の押下により入力する。例えば、積込先の名称が「○□株式会社  △○営業所」であれば、積込先の名称「○□」の最初のカナ２文字と、３文字目以降に含まれる例えば「△○」のカナ文字を入力する。この文字入力結果はそれぞれ入力文字表示７１ａ、７１ｂに随時表示される。尚、この輸送情報の入力要求画面では、積込先の名称に替えて納品先の名称を入力するようにしても良い。
【００２６】
上記の文字入力が行われると、中央処理部３９は入力された文字情報をデータサーバ５０の積込先データと照会し、該当する積込先のリストを取得する。このとき、前述のステップＳ１０８で入力された輸送業務日を参照して、積込先リストの絞り込みを行うようにしても良い。次に、中央処理部３９はこの積込先のリストを点呼端末モニタ４２に、例えば図５（ｂ）に示すような表示画面で表示する。この図５（ｂ）に示す表示画面では、文字情報によって抽出された積込先のリストが積込先リスト表示７３として表示されている。運転者はこの画面表示に対し、自身が指示された輸送業務の積込先を積込先リスト表示７３から選択し押下する。これにより、輸送情報が確定し輸送情報の入力が終了する（ステップＳ１１２）。尚、この輸送情報の入力操作と前述の輸送業務日の入力操作が運転者点呼システム１００における輸送業務情報の入力操作となる。
【００２７】
中央処理部３９は入力された輸送業務情報（輸送業務日及び輸送情報）をデータサーバ５０に照会して、この輸送業務情報と対応する業務情報と業務伝達事項とを取得する（ステップＳ１１４）。ここでの業務情報とは、輸送物品、納品日、積込先名称、積込先住所、積込先電話番号、納品先名称、納品先住所、積込先電話番号などの輸送業務の基本情報である。尚、この業務情報は輸送業務の受注後に、速やかにデータサーバ５０に入力される。また、ここでの業務伝達事項とは、上記の輸送業務を行う際の特記事項であり、納品情報と必要書類の情報とを含んでいる。そして、ここでの納品情報とは、例えば、納品時における立会の有無、納品先の設備、納品時の注意事項、納品先における納品場所、納品時に必要となる部材等の情報である。また、必要書類とは、例えば、化学物質を輸送する際に法律で義務付けられたイエローカード（漏洩時の対処法を記した書類）、ＭＳＤＳ（製品安全データシート）、及び納品先で必要とする書類、例えば、輸送物品の分析表、納品先が指定した書式の納品書、納品先への乗入許可証、等である。また、業務伝達事項には、上記の情報の他に、過去の事故事例の情報等の特別指令内容を付加しても良い。これらの業務伝達事項は、業務情報のデータサーバ５０への入力時に入力しても良いし、入力された業務情報にリンクして自動的に挿入されるようにしても良い。例えば、特定の化学物質を輸送する際に必須の書類の情報は、業務情報の輸送物品名を入力した時点で自動的に業務伝達事項の必要書類の情報に付加され、特定の納品先で常に必要な書類、必要な部材等、納品先固有の納品情報は業務情報の納品先を入力した時点で自動的に業務伝達事項に付加されることが好ましい。
【００２８】
次に、中央処理部３９は取得した業務情報と業務伝達事項とが記載された、例えば図６に示すような業務伝達事項確認画面を点呼端末モニタ４２と管理端末モニタ３２とに表示する（ステップＳ１１６）。ここで、図６に示す業務伝達事項確認画面は、業務情報を表示する業務情報表示７４と、業務伝達事項を表示する業務伝達事項表示７５と、相手側端末の映像を表示する相手端末画像表示部７６ａと、自分側端末の映像を表示する自端末画像表示部７６ｂと、を有している。そして、点呼端末カメラ装置４６が撮影した運転者の映像（動画）は、この管理端末モニタ３２の相手端末画像表示部７６ａと点呼端末モニタ４２の自端末画像表示部７６ｂとに表示される。また、管理端末カメラ装置３６が撮影した運行管理者の映像（動画）は、この点呼端末モニタ４２の相手端末画像表示部７６ａと管理端末モニタ３２の自端末画像表示部７６ｂと表示される。そして、これらのカメラ装置を用いた端末間の双方向画像通信により、運転者と運行管理者とは互いの顔（映像）を確認しながら運転者点呼を行うことができる。
【００２９】
また前述のように、点呼端末マイク装置４８で取得した音声は管理端末３０のスピーカに出力され、管理端末マイク装置３８で取得した音声は点呼端末４０のスピーカに出力される。そして、これらのマイク装置を用いた端末間の双方向音声通信により、運転者と運行管理者とは音声会話を行いながら運転者点呼を行うことができる。
【００３０】
次に、業務伝達事項表示７５に関しての説明を行う。図６に示す業務伝達事項表示７５の画面左側には、納品情報としての「納品時の立会の有無」が表示されている。また、先方（納品先）で操作する設備、例えば「バルブ操作」、「ポンプ操作」が表示されている。また納品時における「タンクレベル確認」の要否が表示されている。また、納品先に複数の納品場所がある場合にその納品場所を特定する「納品場所」の情報が表示されている。
【００３１】
また、業務伝達事項表示７５の画面中央には、必要書類の情報として、納品時に必要な書類、例えば、輸送物質の「分析表」、納品先の専用書式による「専用納品書」、納品先への「入門カード」、納品先の「入門許可証」、輸送物品（化学物質）が漏洩した時の対処法を記した「イエローカード」、ＭＳＤＳ（製品安全データシート）等が表示されている。また、納品情報としての、例えば輸送物品の「サンプル」の要否、納品時における「サンプル採取」の有無、納品時における「先方計量」の有無、等が表示されている。
【００３２】
また、業務伝達事項表示７５の画面右側には、納品情報としての必要治具、例えばフランジが必要であれば必要な「フランジの種類」、またカップリングが必要であれば必要な「カップリングの種類」、ネジの携行が必要であれば必要な「ネジの種類と本数」、略円錐状の竹の子継手による納品の場合には「竹の子継手」、納品先がホースによる落し込み納品の場合には「落し込み」表示、納品時にホースが必要であれば必要な「ホースの種類と長さ」が表示されている。また、納品情報としての「アース接続の要否」、納品先の設備を使用しての納品の場合の「先方設備使用荷下ろし」等が表示されている。
【００３３】
尚、図６で例示した業務伝達事項表示７５では、今回の輸送業務の業務伝達事項を別の色で強調する表示を行っている（図６中では斜線で示す。）。運転者はこれら業務伝達事項を確認し、例えば今回の輸送業務の業務伝達事項の正しい表示を押下して業務伝達事項の確認操作を行う（ステップＳ１１８）。確認操作が行われると、確認された業務伝達事項の表示が例えば色が変わるなどして確認済み表示に変化する。この確認済み表示への変化は管理端末モニタ３２の業務伝達事項表示７５にも反映され、運行管理者は業務伝達事項に対する運転者の確認操作を視認することができる。
【００３４】
尚、本発明に係る運転者点呼システム１００は、業務伝達事項における必要書類の携行を更に確実とするために、以下の構成を備えていても良い。先ず、本構成では必要書類自体に、この必要書類を特定するためのバーコード等の識別情報が印刷もしくはシール貼付により付与されている。そして、運転者点呼システム１００の点呼端末４０は、図４に示すように、この識別情報を読み取るためのバーコードリーダ等の読取装置５６が接続されている。そして、中央処理部３９は、業務伝達事項の確認時に読取装置５６による識別情報の読み取り要求を行う。運転者はこの読み取り要求を受けて、読取装置５６による識別情報の読み取りを行う。読み取られた識別情報は中央処理部３９に送られデータサーバ５０の必要書類の情報と照会される。そして、今回の輸送業務に必要な必要書類と一致した場合、必要書類を確認したとして処理する。この構成によれば、必要書類の確認を必要書類自体に付与された識別情報の読み取りで行うため、必要書類の携行不備をより一層防止することができる。
【００３５】
また、読取装置５６を備えた構成では、納品時に必要となる部材にもバーコード等の識別情報を貼付して、必要部材に関しても読取装置５６による確認処理を行うようにしても良い。
【００３６】
尚、図６で例示した業務伝達事項表示７５では、輸送業務の業務伝達事項を予め強調するなどして表示しているが、この表示は点呼端末モニタ４２では行わず、運転者に業務伝達事項の内容を問うようにする。この構成では、運転者は自身に指示された輸送業務の内容を確認して、表示された業務伝達事項の中から正しい納品情報、必要書類、必要部材等を選択もしくは入力する必要がある。このため、業務伝達事項の確認をより一層確実に行うことができる。尚、管理端末モニタ３２には業務伝達事項の正解が表示されており、運転者が間違った場合には音声等でこれを伝達して業務伝達事項の再確認を行わせる。
【００３７】
業務伝達事項表示７５における全ての業務伝達事項の確認が終了し、該当する業務伝達事項の表示が全て確認済み表示に変化すると、運転手は確認表示７７を押下する。これにより、業務伝達事項表示７５に関する確認が終了する。次に、中央処理部３９は、例えば図７に示すような、業務伝達事項の特別指令内容表示７９が表示された画面を、管理端末モニタ３２、点呼端末モニタ４２の双方に表示する。尚、この特別指令内容表示７９に表示される特別指令内容は、例えば、今回の納品に関する注意、過去の事故事例、納品時のトラブル事例、安全運転に関する注意事項、非常時の対処法など、今回の輸送業務に当たり特別に注意を要する事項である。尚、この特別指令内容には運転者個人の運転留意事項、健康留意事項等を記載しても良い。
【００３８】
運行管理者と運転者はこの特別指令内容を読み上げるなどして確認し、確認が終了したら運転手は確認表示７７を押下する。これにより、特別指令内容の確認が終了し、全ての業務伝達事項の確認が完了する（ステップＳ１２０：Ｙｅｓ）。尚、特別指令内容の確認は、特別指令内容毎に確認ボタンを表示し、運転者がこの確認ボタンを押下することで行うようにしても良い。この構成によれば、運転手による特別指令内容の個別の確認履歴をデータサーバ５０に記録させることができる。
【００３９】
次に、中央処理部３９は点呼端末モニタ４２に、例えば図８に示すような、血圧測定画面の表示を行う。また、運行管理者は管理端末マイク装置３８を介して運転者に血圧を測定するよう指示する。これに対し運転者は、点呼端末４０に接続された血圧測定装置５２を用いて自身の血圧の測定を行う。尚、血圧測定装置５２は、点呼端末モニタ４２に表示された測定開始ボタン表示８１を押下することで、血圧の測定と血圧データの送信とを自動的に行う。血圧測定装置５２で測定された運転者の最高血圧、最低血圧、脈拍数等の血圧データは中央処理部３９に送信され、中央処理部３９は取得した血圧データを、管理端末モニタ３２、点呼端末モニタ４２の血圧表示部８０に表示する（ステップＳ１２２）。尚、血圧表示部８０には、今回の血圧データとともに運転者の過去の血圧データをグラフ化したグラフ表示８０ａを表示しても良い。また、血圧測定は運転者点呼前に予め行っておき、血圧測定画面の表示時点で予め測定した血圧データを中央処理部３９に送信するようにしても良い。この構成によれば、運転者点呼の時間短縮を図ることができる。
【００４０】
次に、運行管理者は管理端末マイク装置３８を介して運転者に呼気中のアルコール濃度を測定するよう指示する。これに対し運転者は、点呼端末４０に接続されたアルコール測定装置５４に息を吹き込む。アルコール測定装置５４は吹き込まれた呼気中のアルコール濃度を測定し、このアルコール濃度のデータを中央処理部３９に送信する。中央処理部３９は取得したアルコール濃度のデータを、管理端末モニタ３２、点呼端末モニタ４２のアルコール濃度表示部８３に表示する（ステップＳ１２６）。
【００４１】
運転者の血圧、アルコール濃度に異常が認められない場合、運行管理者は運転者点呼の終了を宣言する。これに応じて、運転者は表示画面の通信切断ボタン表示６４を押下する（ステップＳ１３０：Ｙｅｓ）。通信切断ボタン表示６４が押下されると中央処理部３９は、運転者、輸送業務情報、点呼日時と、業務伝達事項の確認記録、血圧データ、アルコール濃度のデータとを、データサーバ５０に記録する（ステップＳ１３２）。そして、管理端末３０と点呼端末４０との接続を切断して（ステップＳ１３４）、運転者点呼システム１００を待機状態にする（ステップＳ１３６）。
【００４２】
尚、データサーバ５０に記録された業務伝達事項の確認記録、血圧データ、アルコール濃度のデータ等は運転者点呼が適正に行われたことの記録として一定期間保管される。また、血圧データを運転者毎に蓄積し、運転者の健康管理情報として健康指導等に活用するようにしても良い。さらに、輸送車両に搭載されたデジタルタコグラフ等から得られる運転者の運転情報と、蓄積された血圧データとをリンクさせ、健康指導等に活用するようにしても良い。またさらに、運転者点呼システム１００の双方向画像通信、双方向音声通信、血圧データ等の双方向データ通信を利用して医療スタッフによる健康指導等を行うようにしても良い。
【００４３】
以上のように、本発明に係る運転者点呼システム１００は、運転者点呼時に輸送業務の業務伝達事項（納品情報、必要書類、特別指令内容等）をデータサーバ５０から取得して点呼端末モニタ４２と管理端末モニタ３２に表示する。このため、点呼を行う者が専門的な知識を有さない運行管理補助者であっても、注意事項の伝達や携行品の確認を運転者点呼システム１００を介して行うことができる。これにより、運行管理者が常駐していなくとも運転者点呼時の業務伝達事項の十分な伝達と確認とを２４時間いつでも行うことができる。
【００４４】
また、本発明に係る運転者点呼システム１００は、点呼端末４０への入力操作を点呼端末モニタ４２に設置されたタッチパネル等の点呼端末入力手段４４を介して行う。また、点呼端末モニタ４２に表示する点呼端末入力手段４４の入力ボタン表示は出来るだけ大きく表示するとともに、可能な限り選択肢を選択押下する入力方式を用いる。これにより、運転者が比較的高齢な場合でも運転者点呼の各種入力操作を容易に行うことができる。
【００４５】
尚、上記の運転者点呼システム１００は本発明の具体的な一例であるから、構成部材、各ステップの流れ、各ステップの処理方法等はこれに限定されるものではなく、本発明は本発明の要旨を逸脱しない範囲で変更して実施することが可能である。
【符号の説明】
【００４６】
３０    管理端末
３２    管理端末モニタ
３４    管理端末入力手段
３６    管理端末カメラ装置
３８    管理端末マイク装置
３９    中央処理部
４０    点呼端末
４２    点呼端末モニタ
４４    点呼端末入力手段
４６    点呼端末カメラ装置
４８    点呼端末マイク装置
５０    データサーバ
５２    血圧測定装置
５４    アルコール測定装置
５６    読取装置
５８    免許情報読取装置
１００  運転者点呼システム
【図１】
0006007161.tif 000002
【図２】
0006007161.tif 000003
【図３】
0006007161.tif 000004
【図４】
0006007161.tif 000005
【図５】
0006007161.tif 000006
【図６】
0006007161.tif 000007
【図７】
0006007161.tif 000008
【図８】
0006007161.tif 000009